(57)【要約】【課題】潤滑剤を感光体ドラムに塗布する場合、環境変化に応じて潤滑剤の粘度が変化することに起因する不具合の発生を防止することが可能な画像形成装置を提供する。【解決手段】画像形成装置１００は、感光体ドラム１４１３と、粘度が所定粘度以上である第１の潤滑剤１９１と、粘度が所定粘度未満である第２の潤滑剤１９２と、感光体ドラム１４１３の表面に２つの潤滑剤１９１，１９２の何れかを塗布する潤滑剤塗布部１８２と、温度を検知する温度検知部１８０とを備える。制御部２００は、温度が第１の温度以上である場合、潤滑剤塗布部１８２を制御し、感光体ドラム１４１３の表面に第２の潤滑剤１９２を塗布させる一方、温度が第１の温度より低い第２の温度未満である場合、潤滑剤塗布部１８２を制御し、感光体ドラム１４１３の表面に第１の潤滑剤１９１を塗布させる。【選択図】図３
2014115384.tif 000002
【特許請求の範囲】
【請求項１】
感光体と、
粘度がそれぞれ異なる複数の潤滑剤と、
前記感光体の表面に前記複数の潤滑剤の何れかを塗布する潤滑剤塗布部と、
温度を検知する温度検知部と、
前記温度検知部により検知された温度に応じて、前記潤滑剤塗布部を制御し、前記感光体の表面に前記複数の潤滑剤の何れかを塗布させる制御部と、
を備える画像形成装置。
【請求項２】
前記複数の潤滑剤は、
粘度が所定粘度以上である第１の潤滑剤と、
粘度が前記所定粘度未満である第２の潤滑剤と、
を含み、
前記制御部は、前記温度が第１の温度以上である場合、前記潤滑剤塗布部を制御し、前記感光体の表面に前記第２の潤滑剤を塗布させる一方、前記温度が前記第１の温度より低い第２の温度未満である場合、前記潤滑剤塗布部を制御し、前記感光体の表面に前記第１の潤滑剤を塗布させる請求項１に記載の画像形成装置。
【請求項３】
前記潤滑剤塗布部は、
前記感光体に接触し、前記第１および第２の潤滑剤の何れか一方を掻き取って前記感光体に塗布する塗布ブラシと、
前記第１および第２の潤滑剤の何れか一方を前記塗布ブラシに接触させ、他方を前記塗布ブラシから離間させる接離部と、
を有し、
前記制御部は、前記温度が前記第１の温度以上である場合、前記接離部を制御し、前記第２の潤滑剤を前記塗布ブラシに接触させ、前記第１の潤滑剤を前記塗布ブラシから離間させる一方、前記温度が前記第２の温度未満である場合、前記接離部を制御し、前記第１の潤滑剤を前記塗布ブラシに接触させ、前記第２の潤滑剤を前記塗布ブラシから離間させる請求項２に記載の画像形成装置。
【請求項４】
前記潤滑剤塗布部は、
前記感光体に接触し、前記第１および第２の潤滑剤の何れか一方を掻き取って前記感光体に塗布する塗布ブラシと、
前記第１の潤滑剤を前記塗布ブラシに接触させ、および、前記第１の潤滑剤を前記塗布ブラシから離間させる第１の接離部と、
前記第２の潤滑剤を前記塗布ブラシに接触させ、および、前記第２の潤滑剤を前記塗布ブラシから離間させる第２の接離部と、
を有し、
前記制御部は、前記温度が前記第１の温度以上である場合、前記第１および第２の接離部を制御し、前記第２の潤滑剤を前記塗布ブラシに接触させ、前記第１の潤滑剤を前記塗布ブラシから離間させる一方、前記温度が前記第２の温度未満である場合、前記第１および第２の接離部を制御し、前記第１の潤滑剤を前記塗布ブラシに接触させ、前記第２の潤滑剤を前記塗布ブラシから離間させる請求項２に記載の画像形成装置。
【請求項５】
前記潤滑剤塗布部は、
前記感光体に接触し、前記第１の潤滑剤を掻き取って前記感光体に塗布する第１の塗布ブラシと、
前記感光体に接触し、前記第２の潤滑剤を掻き取って前記感光体に塗布する第２の塗布ブラシと、
前記第１の潤滑剤を前記第１の塗布ブラシに接触させ、および、前記第１の潤滑剤を前記第１の塗布ブラシから離間させる第１の接離部と、
前記第２の潤滑剤を前記第２の塗布ブラシに接触させ、および、前記第２の潤滑剤を前記第２の塗布ブラシから離間させる第２の接離部と、
を有し、
前記制御部は、前記温度が前記第１の温度以上である場合、前記第１および第２の接離部を制御し、前記第１の潤滑剤を前記第１の塗布ブラシから離間させ、前記第２の潤滑剤を前記第２の塗布ブラシに接触させる一方、前記温度が前記第２の温度未満である場合、前記第１および第２の接離部を制御し、前記第１の潤滑剤を前記第１の塗布ブラシに接触させ、前記第２の潤滑剤を前記第２の塗布ブラシから離間させる請求項２に記載の画像形成装置。
【請求項６】
前記潤滑剤塗布部は、
前記第１の潤滑剤に接触し、前記第１の潤滑剤を掻き取って前記感光体に塗布する第１の塗布ブラシと、
前記第２の潤滑剤に接触し、前記第２の潤滑剤を掻き取って前記感光体に塗布する第２の塗布ブラシと、
前記第１の潤滑剤および前記第１の塗布ブラシを前記感光体の表面に接触させ、および、前記第１の潤滑剤および前記第１の塗布ブラシを前記感光体の表面から離間させる第１の接離部と、
前記第２の潤滑剤および前記第２の塗布ブラシを前記感光体の表面に接触させ、および、前記第２の潤滑剤および前記第２の塗布ブラシを前記感光体の表面から離間させる第２の接離部と、
を有し、
前記制御部は、前記温度が前記第１の温度以上である場合、前記第１および第２の接離部を制御し、前記第１の潤滑剤および前記第１の塗布ブラシを前記感光体の表面から離間させ、前記第２の潤滑剤および前記第２の塗布ブラシを前記感光体の表面に接触させる一方、前記温度が前記第２の温度未満である場合、前記第１および第２の接離部を制御し、前記第１の潤滑剤および前記第１の塗布ブラシを前記感光体の表面に接触させ、前記第２の潤滑剤および前記第２の塗布ブラシを前記感光体の表面から離間させる請求項２に記載の画像形成装置。
【発明の詳細な説明】
【技術分野】
【０００１】
本発明は、画像形成装置に関する。
【背景技術】
【０００２】
近年、電子写真方式の画像形成装置には、感光体ドラムのクリーニング性能を向上させるため、潤滑作用を有する潤滑剤（例えば、金属石鹸等）を感光体ドラムに塗布する潤滑剤塗布装置が設けられている。潤滑剤を感光体ドラムに塗布することによって、感光体ドラム上に現像されたトナーの離型性が向上し（すなわち、感光体ドラム表面との付着力が低減し）、トナー像の転写性ひいては画質安定性が向上する。さらに、感光体ドラム表面とクリーニング部材（例えば、クリーニングブレード）との間に働く摩擦抵抗が低減し、クリーニング部材の長寿命化を図ることができる。
【０００３】
潤滑剤は固形であることが一般的であり、潤滑剤塗布ブラシ等で削り取り粉体となった
潤滑剤を感光体ドラムに塗布する。塗布された潤滑剤は、均しブレード等によって感光体ドラム表面に固定される。
【０００４】
潤滑剤塗布装置の関連技術として、感光体ドラム表面に塗布された潤滑剤の均一性を確保するため、感光体ドラムの長手方向において潤滑剤が分割され、それぞれの潤滑剤が、感光体ドラムに潤滑剤を塗布するブラシローラーに対して接離可能に構成した技術が提案されている（例えば、特許文献１を参照）。
【０００５】
また、感光体ドラムの幅方向で均一な潤滑剤の塗布状態を達成するため、感光体ドラムの外周上における複数個所に、感光体ドラム表面に潤滑剤を塗布する潤滑剤塗布装置を設けた技術が提案されている（例えば、特許文献２を参照）。
【先行技術文献】
【特許文献】
【０００６】
【特許文献１】特開２００５−２０８４３１号公報
【特許文献２】特開２００８−４６３０１号公報
【発明の概要】
【発明が解決しようとする課題】
【０００７】
ところで、潤滑剤を感光体ドラムに塗布する場合、低温低湿環境では、潤滑剤の粘度が低くなり、感光体ドラムに塗布された潤滑剤を均しブレードによって均一に均しきれず塗布ムラが生じる。塗布ムラが生じると、十分に塗布されていない部分にクリーニング不良が生じたり、当該部分に当接するクリーニング部材の摩耗が加速してしまったりするおそれがある。さらに、クリーニング部材の摩耗のばらつきに起因して、転写された画像に縦スジが生じてしまうおそれがある。また、潤滑剤の粘度が著しく低くなることで、均しブレードによって均しきれない滑剤粒子が多く発生し、その滑剤粒子が現像装置内に取り込まれる。滑剤粒子が現像装置内に取り込まれると、現像剤中のトナーが画像形成装置内に飛散して付着する現象（トナー飛散）が起きてしまう。
【０００８】
一方、高温高湿環境では、潤滑剤の粘度が高くなる。そして、潤滑剤の粘度が著しく高くなることで、感光体ドラム上に潤滑剤の薄膜を形成することが困難となり、当該薄膜層の形成に長時間を要してしまう。また、潤滑剤の粘度が低くなることで、均しブレードと潤滑剤との接触時間が長くなり、均しブレードにかかる負荷が大きくなって当該均しブレードのカット面が摩耗してしまう。また、潤滑剤の粘度が低くなることで、画像形成装置内で舞っている埃や飛散しているトナーが感光体ドラム上の潤滑剤に付着しやすくなり、感光体ドラム上に現像されたトナーの離型性が低下してしまう。つまり、潤滑剤本来の機能を果たせなくなってしまう。
【０００９】
なお、特許文献１，２に記載の技術は、潤滑剤を感光体ドラムに塗布する場合、環境の変化に応じて潤滑剤の粘度が変化することに起因する不具合の発生を防止することを目的としたものではなく、したがってそのための構成を有していない。
【００１０】
本発明は、潤滑剤を感光体に塗布する場合、環境変化に応じて潤滑剤の粘度が変化することに起因する不具合の発生を防止することが可能な画像形成装置を提供することを目的とする。
【課題を解決するための手段】
【００１１】
本発明に係る画像形成装置は、
感光体と、
粘度がそれぞれ異なる複数の潤滑剤と、
前記感光体の表面に前記複数の潤滑剤の何れかを塗布する潤滑剤塗布部と、
温度を検知する温度検知部と、
前記温度検知部により検知された温度に応じて、前記潤滑剤塗布部を制御し、前記感光体の表面に前記複数の潤滑剤の何れかを塗布させる制御部と、
を備える。
【発明の効果】
【００１２】
本発明によれば、潤滑剤を感光体に塗布する場合、環境変化に応じて潤滑剤の粘度が変化することに起因する不具合の発生を防止することが可能な画像形成装置を提供することができる。
【図面の簡単な説明】
【００１３】
【図１】本実施の形態における画像形成装置の縦断面図である。
【図２】本実施の形態における画像形成装置の制御ブロック図である。
【図３】本実施の形態における潤滑剤塗布部の構成を示す図である。
【図４】本実施の形態における画像形成装置の制御動作を示すフローチャートである。
【図５】本実施の形態における潤滑剤塗布部の構成の変形例を示す図である。
【図６】本実施の形態における潤滑剤塗布部の構成の変形例を示す図である。
【図７】本実施の形態における潤滑剤塗布部の構成の変形例を示す図である。
【発明を実施するための形態】
【００１４】
以下、本実施の形態を図面に基づいて詳細に説明する。
［画像形成装置１００の構成］
図１、２に示す画像形成装置１００は、電子写真プロセス技術を利用した中間転写方式のカラー画像形成装置である。画像形成装置１００は、感光体ドラム上に形成されたＣ（シアン）、Ｍ（マゼンタ）、Ｙ（イエロー）、Ｋ（ブラック）の各色トナー像を中間転写ベルトに１次転写し、中間転写ベルト上で４色のトナー像を重ね合わせた後、記録用紙に２次転写することにより、画像を形成する。
【００１５】
画像形成装置１００には、ＣＭＹＫの４色に対応する感光体ドラムを中間転写ベルトの走行方向に直列配置し、中間転写ベルトに１回の手順で各色トナー像を順次転写させるタンデム方式が採用されている。
【００１６】
画像形成装置１００は、画像読み取り部１１０、操作表示部１２０、画像処理部１３０、画像形成部１４０、搬送部１５０、定着部１６０、温度検知部１８０、潤滑剤塗布部１８２および制御部２００を備える。
【００１７】
制御部２００は、ＣＰＵ（Central  Processing  Unit）２０１、ＲＯＭ（Read  Only  Memory）２０２、ＲＡＭ（Random  Access  Memory）２０３等を備えている。ＣＰＵ２０１は、ＲＯＭ２０２から処理内容に応じたプログラムを読み出してＲＡＭ２０３に展開し、展開したプログラムと協働して画像形成装置１００の各ブロックの動作を集中制御する。このとき、記憶部１７２に格納されている各種データが参照される。記憶部１７２は、例えば不揮発性の半導体メモリ（いわゆるフラッシュメモリ）やハードディスクドライブで構成される。
【００１８】
制御部２００は、通信部１７１を介して、ＬＡＮ（Local  Area  Network）、ＷＡＮ（Wide  Area  Network）等の通信ネットワークに接続された外部装置（例えばパーソナルコンピューター）との間で、各種データの送受信を行う。制御部２００は、例えば、外部装置から送信された画像データを受信し、この画像データ（入力画像データ）に基づいて記録用紙に画像を形成させる。通信部１７１は、例えばＬＡＮカード等の通信制御カードで構成される。
【００１９】
画像読み取り部１１０は、ＡＤＦ（Auto  Document  Feeder）と称される自動原稿給紙装置１１１および原稿画像走査装置（スキャナー）１１２等を備える。
【００２０】
自動原稿給紙装置１１１は、原稿トレイに載置された原稿Ｄを搬送機構により搬送して原稿画像走査装置１１２へ送り出す。自動原稿給紙装置１１１は、原稿トレイに載置された原稿Ｄの画像（両面を含む）を連続的に読み取ることができる。
【００２１】
原稿画像走査装置１１２は、自動原稿給紙装置１１１からコンタクトガラス上に搬送された原稿Ｄまたはコンタクトガラス上に載置された原稿Ｄを光学的に走査し、原稿Ｄからの反射光をＣＣＤ（Charge  Coupled  Device）センサー１１２ａの受光面上に結像させ、原稿画像を読み取る。画像読み取り部１１０は、原稿画像走査装置１１２による読み取り結果に基づいて入力画像データを生成する。この入力画像データには、画像処理部１３０において所定の画像処理が施される。
【００２２】
操作表示部１２０は、例えばタッチパネル付きの液晶ディスプレイ（ＬＣＤ：Liquid  Crystal  Display）で構成され、表示部１２１および操作部１２２として機能する。表示部１２１は、制御部２００から入力される表示制御信号に従って、各種操作画面、画像の状態表示、各機能の動作状況等の表示を行う。操作部１２２は、テンキー、スタートキー等の各種操作キーを備え、ユーザーによる各種入力操作を受け付けて、操作信号を制御部２００に出力する。
【００２３】
画像処理部１３０は、入力画像データに対して、初期設定またはユーザー設定に応じたデジタル画像処理を行う回路等を備える。例えば、画像処理部１３０は、制御部２００の制御下で、階調補正データ（階調補正テーブル）に基づいて階調補正を行う。また、画像処理部１３０は、入力画像データに対して、階調補正の他、色補正、シェーディング補正等の各種補正処理や、圧縮処理等を施す。これらの処理が施された画像データに基づいて、画像形成部１４０が制御される。
【００２４】
画像形成部１４０は、入力画像データに基づいて、Ｙ成分、Ｍ成分、Ｃ成分、Ｋ成分の各有色トナーによる画像を形成するための画像形成ユニット１４１Ｙ、１４１Ｍ、１４１Ｃ、１４１Ｋおよび中間転写ユニット１４２等を備える。
【００２５】
Ｙ成分、Ｍ成分、Ｃ成分、Ｋ成分用の画像形成ユニット１４１Ｙ、１４１Ｍ、１４１Ｃ、１４１Ｋは、同様の構成を有する。図示および説明の便宜上、共通する構成要素は同一の符号で示し、それぞれを区別する場合には符号にＹ、Ｍ、ＣまたはＫを添えて示すこととする。図１では、Ｙ成分用の画像形成ユニット１４１Ｙの構成要素についてのみ符号が付され、その他の画像形成ユニット１４１Ｍ、１４１Ｃ、１４１Ｋの構成要素については符号が省略されている。
【００２６】
画像形成ユニット１４１の構成を画像形成ユニット１４１Ｙにより説明する。画像形成ユニット１４１Ｙは、露光装置１４１１、現像装置１４１２、感光体ドラム１４１３、帯電装置１４１４およびドラムクリーニング装置１４１５等を備えている。
【００２７】
感光体ドラム１４１３は、例えばアルミニウム製の導電性円筒体（アルミ素管）の周面に、アンダーコート層（ＵＣＬ：Under  Coat  Layer）、電荷発生層（ＣＧＬ：Charge  Generation  Layer）、電荷輸送層（ＣＴＬ：Charge  Transport  Layer）を順次積層した負帯電型の有機感光体（ＯＰＣ：Organic  Photo-conductor）である。
【００２８】
帯電装置１４１４は、光導電性を有する感光体ドラム１４１３の表面を一様に負極性に帯電させる。露光装置１４１１は、例えば半導体レーザーで構成され、感光体ドラム１４１３に対して各色成分の画像に対応するレーザー光を照射する。感光体ドラム１４１３の電荷発生層で正電荷が発生し、電荷輸送層の表面まで輸送されることにより、感光体ドラム１４１３の表面電荷（負電荷）が中和される。感光体ドラム１４１３の表面には、周囲との電位差により各色成分の静電潜像が形成される。
【００２９】
現像装置１４１２は、各色成分の現像剤（例えば、小粒径のトナーと磁性体（キャリアー）とからなる二成分現像剤）を収容しており、感光体ドラム１４１３の表面に各色成分のトナーを付着させることにより静電潜像を可視化してトナー像を形成する。
【００３０】
ドラムクリーニング装置１４１５は、感光体ドラム１４１３の表面に摺接されるドラムクリーニングブレードを有する。１次転写後に感光体ドラム１４１３の表面に残存する転写残トナーは、ドラムクリーニングブレードによって掻き取られ、除去される。
【００３１】
中間転写ユニット１４２は、中間転写ベルト１４２１、１次転写ローラー１４２２、２次転写ローラー１４２３、駆動ローラー１４２４、従動ローラー１４２５およびベルトクリーニング装置１４２６等を備えている。
【００３２】
中間転写ベルト１４２１は無端状ベルトで構成され、駆動ローラー１４２４および従動ローラー１４２５に掛け渡される。中間転写ベルト１４２１は、駆動ローラー１４２４の回転により矢印Ａ方向に一定速度で走行する。１次転写ローラー１４２２によって、中間転写ベルト１４２１が感光体ドラム１４１３に圧接されると、中間転写ベルト１４２１に各色トナー像が順次重ねて１次転写される。そして、中間転写ベルト１４２１が２次転写ローラー１４２３によって記録用紙Ｓに圧接されると、中間転写ベルト１４２１に１次転写されたトナー像が記録用紙Ｓに２次転写される。
【００３３】
ベルトクリーニング装置１４２６は、中間転写ベルト１４２１の表面に摺接されるベルトクリーニングブレードを有する。２次転写後に中間転写ベルト１４２１の表面に残存する転写残トナーは、ベルトクリーニングブレードによって掻き取られ、除去される。
【００３４】
定着部１６０は、搬送されてきた記録用紙Ｓを定着ニップ部で加熱、加圧することにより、記録用紙Ｓにトナー像を定着させる。定着部１６０は、定着ユニット１６１とエア分離ユニット１６２とを備える。定着ユニット１６１は、１対の定着部材を圧接することにより形成される定着ニップ部に記録用紙Ｓを通過させて、この記録用紙Ｓ上に転写されたトナー画像に熱源からの熱を与えることにより、記録用紙Ｓにトナー画像を定着させる。エア分離ユニット１６２は、定着ニップ部における記録用紙Ｓの排紙側から記録用紙Ｓに向けて圧縮空気を出力することにより定着部材から記録用紙Ｓを分離する。
【００３５】
搬送部１５０は、給紙部１５１、搬送機構１５２および排紙部１５３等を備える。給紙部１５１を構成する３つの給紙トレイユニット１５１ａ〜１５１ｃには、記録用紙の坪量やサイズ等に基づいて識別された記録用紙（規格用紙、特殊用紙）Ｓがあらかじめ設定された種類毎に収容される。
【００３６】
給紙トレイユニット１５１ａ〜１５１ｃに収容されている記録用紙Ｓは、最上部から１枚ずつ送出され、レジストローラー１５２ａ等の複数の搬送ローラーを備えた搬送機構１５２により画像形成部１４０に搬送される。このとき、レジストローラー１５２ａが配設されたレジスト部により、給紙された記録用紙Ｓの傾きが補正されるとともに搬送タイミングが調整される。そして、画像形成部１４０において、中間転写ベルト１４２１のトナー像が記録用紙Ｓの一方の面に一括して２次転写され、定着部１６０において定着工程が施される。画像形成された記録用紙Ｓは、排紙ローラー１５３ａを備えた排紙部１５３により画像形成装置１００の外に排紙される。本実施の形態では、トナー画像を形成するためのプロセス速度、すなわち、搬送機構１５２による記録用紙Ｓの搬送速度は３００［ｍｍ／秒］である。
【００３７】
温度検知部１８０は、画像形成装置１００内の温度を検知する。温度検知部１８０は、画像形成装置１００内の温度を検知する毎に、当該温度を制御部２００に出力する。
【００３８】
［潤滑剤塗布部１８２の構成］
本実施の形態では、図３に示すように、感光体ドラム１４１３に固形の潤滑剤を塗布する潤滑剤塗布部１８２が、感光体ドラム１４１３の回転方向に対してドラムクリーニングブレード１９０の下流側に設けられている。
【００３９】
潤滑剤塗布部１８２は、第１の潤滑剤１９１、第２の潤滑剤１９２、塗布ブラシ１９３、均し部材１９４、潤滑剤保持板金１９５および接離部１９６を備える。潤滑剤塗布部１８２は、画像形成ユニット１４１Ｙ、１４１Ｍ、１４１Ｃ、１４１Ｋのそれぞれに設けられている。
【００４０】
塗布ブラシ１９３は、例えば、外径１４［ｍｍ］の金属製のシャフトに、厚さ０．５［ｍｍ］の基布にアクリル繊維の束を高さ２．５［ｍｍ］のループ状に織り込んで植毛したものを巻き付けて構成されている。塗布ブラシ１９３は、塗布ブラシ１９３が感光体ドラム１４１３に約１．０［ｍｍ］食い込むように位置決めされている。塗布ブラシ１９３は、感光体ドラム１４１３の回転方向と同一方向に例えば４００［ｍｍ／秒］で回転する。塗布ブラシ１９３は、制御部２００からの制御信号によって回転駆動される。
【００４１】
第１の潤滑剤１９１は、粘度が所定粘度以上である金属石鹸のオレイン酸カルシウムを固めて成形したものである。第１の潤滑剤１９１は、図中奥行き方向に感光体ドラム１４１３の軸方向長さと同程度の長さに形成されている。
【００４２】
第２の潤滑剤１９２は、粘度が所定粘度未満である金属石鹸のステアリン酸亜鉛を固めて成形したものである。第２の潤滑剤１９２は、図中奥行き方向に感光体ドラム１４１３の軸方向長さと同程度の長さに形成されている。
【００４３】
本実施の形態では、粘度をムーニー粘度で表す。ムーニー粘度の値が小さいほど粘性が低くなる。上記所定粘度は、６２．８である。オレイン酸カルシウムのムーニー粘度は、６３．１である。ステアリン酸亜鉛のムーニー粘度は、６２．５である。ここで、ステアリン酸亜鉛およびオレイン酸カルシウムの粘度の測定方法について説明する。まず、天然ゴム（ＲＳＳ＃４）１００重量部に対してステアリン酸亜鉛（０．５重量部）、オレイン酸カルシウム（０．５重量部）を添加する。次に、バンバリーミキサーを用いて１３０［℃］の高温で十分に練り込む。そして、練り込んだ直後、測定機を用いてステアリン酸亜鉛およびオレイン酸カルシウムのムーニー粘度を測定する。測定機としては、例えば、エムアンドケー株式会社製ムーニー粘度測定機ＭＶＭ１１等を利用することが好ましい。ステアリン酸亜鉛およびオレイン酸カルシウムの粘度を測定する際、粘度／粘弾性測定装置「ＭＡＲＳ」を使用しても良い。
【００４４】
なお、第１および第２の潤滑剤１９１，１９２として、オレイン酸鉛、オレイン酸亜鉛、オレイン酸銅、オレイン酸カルシウム、ステアリン酸亜鉛、ステアリン酸コバルト、ステアリン酸鉄、ステアリン酸銅、金属脂肪酸、滑石類、またはポリテトラフルオロエチレン、ポリクロロトリフルオロエチレン、テトラフルオロエチレン、ポリクロロトリフルオロエチレン、テトラフルオロエチレン、エチレンとの共重合物、ポリフッ化ビニリデン等のフッ素系樹脂、フッ素系樹脂を繊維化したフッ素繊維、ポリフルオロカーボン、ポリテトラフルオロエチレン等の繊維物の中から、粘度の異なる２つの潤滑剤を任意に選択して使用しても良い。
【００４５】
潤滑剤の粘度は、原子半径、分子の側鎖の長さに依存する。具体的には、原子半径が大きくなるほど粘度は低くなり、分子の側鎖が長くなるほど粘度は低くなる。そこで、第１および第２の潤滑剤１９１，１９２として、原子半径、または分子の側鎖の長さが異なる２つの潤滑剤を任意に選択して使用しても良い。
【００４６】
潤滑剤保持板金１９５は、一端側に第１の潤滑剤１９１を保持し、他端側に第２の潤滑剤１９２を保持する。
【００４７】
塗布ブラシ１９３は、回転する塗布ブラシ１９３の毛で第１および第２の潤滑剤１９１，１９２を掻き取り、掻き取った第１および第２の潤滑剤１９１，１９２の微粉を感光体ドラム１４１３の表面に塗布する。塗布ブラシ１９３の毛の材質としては、第１および第２の潤滑剤１９１，１９２をむらなく掻き取って感光体ドラム１４１３の表面に塗布するためにＳＡ−７を用いることが好ましい。均し部材１９４は、感光体ドラム１４１３の回転方向に対して塗布ブラシ１９３の下流側に設けられるブレードである。均し部材１９４は、塗布ブラシ１９３によって感光体ドラム１４１３の表面に塗布された第１および第２の潤滑剤１９１，１９２の分布を均一化する。第１および第２の潤滑剤１９１，１９２は、均し部材１９４を通過することによって薄く延展され、感光体ドラム１４１３の表面に固定される。
【００４８】
接離部１９６は、制御部２００の制御を受けて、第１および第２の潤滑剤１９１，１９２の何れか一方を塗布ブラシ１９３に接触させ、他方を塗布ブラシ１９３から離間させる。図３（ａ）は、接離部１９６が、第１の潤滑剤１９１を塗布ブラシ１９３に接触させ、第２の潤滑剤１９２を塗布ブラシ１９３から離間させた状態を示している。この状態から第２の潤滑剤１９２を塗布ブラシ１９３に接触させ、第１の潤滑剤１９１を塗布ブラシ１９３から離間させるには、まず、潤滑剤保持板金１９５を図中上方向に移動させて第１の潤滑剤１９１を塗布ブラシ１９３から離間させる。潤滑剤保持板金１９５の移動には、スライドカム、当該スライドカムを回転させるモーター等を用いる。
【００４９】
次に、図３（ｂ）に示すように、第２の潤滑剤１９２が塗布ブラシ１９３に対向する位置に来るまで、潤滑剤保持板金１９５を図中反時計回りに回転させる。最後に、図３（ｃ）に示すように、潤滑剤保持板金１９５を図中下方向に移動させて、第２の潤滑剤１９２を塗布ブラシ１９３に接触させる。なお、第１および第２の潤滑剤１９１，１９２は、塗布ブラシ１９３に接触した状態において、自重で塗布ブラシ１９３を押圧する。
【００５０】
次に、図４のフローチャートを参照し、画像形成装置１００の制御動作について説明する。なお、図４に示す各処理は、所定間隔毎（例えば、所定時間が経過する毎、または所定枚数のプリント処理が行われる毎）に実行される。
【００５１】
［画像形成装置１００の制御動作］
まず、温度検知部１８０は、画像形成装置１００内の温度を検知する（ステップＳ１００）。温度検知部１８０は、検知した温度を制御部２００に出力する。次に、制御部２００は、温度検知部１８０により検知された温度が第１の温度（本実施の形態では、３０［℃］）以上であるか（すなわち、高温であるか）否かについて判定する（ステップＳ１２０）。
【００５２】
この判定の結果、温度が３０［℃］以上である場合（ステップＳ１２０、ＹＥＳ）、制御部２００は、接離部１９６を制御し、第２の潤滑剤１９２を塗布ブラシ１９３に接触させ、第１の潤滑剤１９１を塗布ブラシ１９３から離間させる（ステップＳ１４０）。これにより、第２の潤滑剤１９２は、塗布ブラシ１９３によって掻き取られ感光体ドラム１４１３に塗布される。ステップＳ１４０の処理が完了することによって、画像形成装置１００は図４における処理を終了する。
【００５３】
一方、温度が３０［℃］以上でない場合（ステップＳ１２０、ＮＯ）、制御部２００は、温度検知部１８０により検知された温度が第２の温度（本実施の形態では、１０［℃］）未満であるか（すなわち、低温であるか）否かについて判定する（ステップＳ１６０）。この判定の結果、温度が１０［℃］未満である場合（ステップＳ１６０、ＹＥＳ）、制御部２００は、接離部１９６を制御し、第１の潤滑剤１９１を塗布ブラシ１９３に接触させ、第２の潤滑剤１９２を塗布ブラシ１９３から離間させる（ステップＳ１８０）。これにより、第１の潤滑剤１９１は、塗布ブラシ１９３によって掻き取られ感光体ドラム１４１３に塗布される。ステップＳ１８０の処理が完了することによって、画像形成装置１００は図４における処理を終了する。
【００５４】
一方、温度が１０［℃］未満でない場合（ステップＳ１６０、ＮＯ）、制御部２００は、接離部１９６を制御し、第２の潤滑剤１９２を塗布ブラシ１９３に接触させ、第１の潤滑剤１９１を塗布ブラシ１９３から離間させる（ステップＳ２００）。これにより、第２の潤滑剤１９２は、塗布ブラシ１９３によって掻き取られ感光体ドラム１４１３に塗布される。ステップＳ２００の処理が完了することによって、画像形成装置１００は図４における処理を終了する。
【００５５】
以上詳しく説明したように、本実施の形態の画像形成装置１００は、感光体ドラム１４１３と、粘度が所定粘度以上である第１の潤滑剤１９１と、粘度が所定粘度未満である第２の潤滑剤１９２と、感光体ドラム１４１３の表面に２つの潤滑剤１９１，１９２の何れかを塗布する潤滑剤塗布部１８２と、温度を検知する温度検知部１８０とを備える。制御部２００は、温度が第１の温度以上である場合、潤滑剤塗布部１８２を制御し、感光体ドラム１４１３の表面に第２の潤滑剤１９２を塗布させる一方、温度が第１の温度より低い第２の温度未満である場合、潤滑剤塗布部１８２を制御し、感光体ドラム１４１３の表面に第１の潤滑剤１９１を塗布させる。
【００５６】
このように構成した本実施の形態によれば、潤滑剤の粘度が高くなる高温環境では、粘度が所定粘度未満である第２の潤滑剤１９２が、感光体ドラム１４１３の表面に塗布される。また、潤滑剤の粘度が低くなる低温環境では、粘度が所定粘度以上である第１の潤滑剤１９１が、感光体ドラム１４１３の表面に塗布される。そのため、感光体ドラム１４１３の表面に塗布された潤滑剤の粘度は、温度環境に関係なく、好適な値に維持される。よって、環境変化に応じて潤滑剤の粘度が変化することに起因する不具合の発生を防止することができる。
【００５７】
なお、上記実施の形態では、画像形成装置１００内の温度に応じて、粘度がそれぞれ異なる２つの潤滑剤の何れかを感光体ドラム１４１３の表面に塗布する例について説明したが、本発明はこれに限定されない。例えば、画像形成装置１００内の温度に応じて、粘度がそれぞれ異なる３つの潤滑剤の何れかを感光体ドラム１４１３の表面に塗布しても良い。この場合、画像形成装置１００内の温度が高温である場合、最も粘度が低い潤滑剤を感光体ドラム１４１３の表面に塗布する。また、画像形成装置１００内の温度が常温である場合、２番目に粘度が高い潤滑剤を感光体ドラム１４１３の表面に塗布する。また、画像形成装置１００内の温度が低温である場合、最も粘度が高い潤滑剤を感光体ドラム１４１３の表面に塗布する。
【００５８】
また、上記実施の形態では、画像形成装置１００内の温度が高温でなく、かつ、低温でない場合、第２の潤滑剤１９２を感光体ドラム１４１３の表面に塗布する例について説明したが、第１の潤滑剤１９１を感光体ドラム１４１３の表面に塗布しても良い。画像形成装置１００内の温度が高温でなく、かつ、低温でない場合、潤滑剤の粘度が大きく変化しないからである。
【００５９】
また、上記実施の形態では、潤滑剤塗布部１８２の具体的な構成として、接離部１９６が、第１および第２の潤滑剤１９１，１９２のうち一方を塗布ブラシ１９３に接触させ、他方を塗布ブラシ１９３から離間させる例について説明したが、本発明はこれに限定されない。
【００６０】
例えば、潤滑剤塗布部１８２は、図５に示す構成であっても良い。つまり、潤滑剤塗布部１８２は、第１の潤滑剤１９１を塗布ブラシ１９３に接触させ、および、第１の潤滑剤１９１を塗布ブラシ１９３から離間させる第１の接離部２１０と、第２の潤滑剤１９２を塗布ブラシ１９３に接触させ、および、第２の潤滑剤１９２を塗布ブラシ１９３から離間させる第２の接離部２１２とを有する。制御部２００は、温度検知部１８０により検知された温度が第１の温度以上である場合、第１および第２の接離部２１０，２１２を制御し、第２の潤滑剤１９２を塗布ブラシ１９３に接触させ、第１の潤滑剤１９１を塗布ブラシ１９３から離間させる一方、当該温度が第２の温度未満である場合、第１および第２の接離部２１０，２１２を制御し、第１の潤滑剤１９１を塗布ブラシ１９３に接触させ、第２の潤滑剤１９２を塗布ブラシ１９３から離間させる。図５（ａ）は、第１の潤滑剤１９１を塗布ブラシ１９３に接触させた状態を示す。図５（ｂ）は、第１の潤滑剤１９１を塗布ブラシ１９３から離間させた状態を示す。図５（ｃ）は、第２の潤滑剤１９２を塗布ブラシ１９３に接触させた状態を示す。
【００６１】
また、潤滑剤塗布部１８２は、図６に示す構成であっても良い。つまり、潤滑剤塗布部１８２は、感光体ドラム１４１３に接触し、第１の潤滑剤１９１を掻き取って感光体ドラム１４１３に塗布する第１の塗布ブラシ２２０と、感光体ドラム１４１３に接触し、第２の潤滑剤１９２を掻き取って感光体ドラム１４１３に塗布する第２の塗布ブラシ２２２と、第１の潤滑剤１９１を第１の塗布ブラシ２２０に接触させ、および、第１の潤滑剤１９１を第１の塗布ブラシ２２０から離間させる第１の接離部２１０と、第２の潤滑剤１９２を第２の塗布ブラシ２２２に接触させ、および、第２の潤滑剤１９２を第２の塗布ブラシ２２２から離間させる第２の接離部２１２とを有する。制御部２００は、温度検知部１８０により検知された温度が第１の温度以上である場合、第１および第２の接離部２１０，２１２を制御し、第２の潤滑剤１９２を第２の塗布ブラシ２２２に接触させ、第１の潤滑剤１９１を第１の塗布ブラシ２２０から離間させる一方、当該温度が第２の温度未満である場合、第１および第２の接離部２１０，２１２を制御し、第１の潤滑剤１９１を第１の塗布ブラシ２２０に接触させ、第２の潤滑剤１９２を第２の塗布ブラシ２２２から離間させる。図６（ａ）は、第２の潤滑剤１９２を第２の塗布ブラシ２２２に接触させた状態を示す。図６（ｂ）は、第２の潤滑剤１９２を第２の塗布ブラシ２２２から離間させた状態を示す。図６（ｃ）は、第１の潤滑剤１９１を第１の塗布ブラシ２２０に接触させた状態を示す。
【００６２】
また、潤滑剤塗布部１８２は、図７に示す構成であっても良い。つまり、潤滑剤塗布部１８２は、第１の潤滑剤１９１に接触し、第１の潤滑剤１９１を掻き取って感光体ドラム１４１３に塗布する第１の塗布ブラシ２２０と、第２の潤滑剤１９２に接触し、第２の潤滑剤１９２を掻き取って感光体ドラム１４１３に塗布する第２の塗布ブラシ２２２と、第１の潤滑剤１９１および第１の塗布ブラシ２２０を感光体ドラム１４１３の表面に接触させ、および、第１の潤滑剤１９１および第１の塗布ブラシ２２０を感光体ドラム１４１３の表面から離間させる第１の接離部２１０と、第２の潤滑剤１９２および第２の塗布ブラシ２２２を感光体ドラム１４１３の表面に接触させ、および、第２の潤滑剤１９２および第２の塗布ブラシ２２２を感光体ドラム１４１３の表面から離間させる第２の接離部２１２とを有する。制御部２００は、温度検知部１８０により検知された温度が第１の温度以上である場合、第１および第２の接離部２１０，２１２を制御し、第１の潤滑剤１９１および第１の塗布ブラシ２２０を感光体ドラム１４１３の表面から離間させ、第２の潤滑剤１９２および第２の塗布ブラシ２２２を感光体ドラム１４１３の表面に接触させる一方、当該温度が第２の温度未満である場合、第１および第２の接離部２１０，２１２を制御し、第１の潤滑剤１９１および第１の塗布ブラシ２２０を感光体ドラム１４１３の表面に接触させ、第２の潤滑剤１９２および第２の塗布ブラシ２２２を感光体ドラム１４１３の表面から離間させる。図７（ａ）は、第２の潤滑剤１９２および第２の塗布ブラシ２２２を感光体ドラム１４１３の表面に接触させた状態を示す。図７（ｂ）は、第２の潤滑剤１９２および第２の塗布ブラシ２２２を感光体ドラム１４１３の表面から離間させた状態を示す。図７（ｃ）は、第１の潤滑剤１９１および第１の塗布ブラシ２２０を感光体ドラム１４１３の表面に接触させた状態を示す。
【００６３】
潤滑剤塗布部１８２の構成としては、図３，５〜７に示す構成のうち図３，４を採用することが好ましい。塗布ブラシを１つ設けるだけで良く、塗布ブラシを２つ設けた場合と比べて、コストおよびスペースを削減できるからである。
【００６４】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６５】
１００  画像形成装置
１１０  画像読み取り部
１２０  操作表示部
１２１  表示部
１２２  操作部
１３０  画像処理部
１４０  画像形成部
１５０  搬送部
１６０  定着部
１６１  定着ユニット
１６２  エア分離ユニット
１７１  通信部
１７２  記憶部
１８０  温度検知部
１８２  潤滑剤塗布部
１９１  第１の潤滑剤
１９２  第２の潤滑剤
１９３  塗布ブラシ
１９４  均し部材
１９６  接離部
２００  制御部
２１０  第１の接離部
２１２  第２の接離部
２２０  第１の塗布ブラシ
２２２  第２の塗布ブラシ
１４１３  感光体ドラム
【図１】
2014115384.tif 000003
【図２】
2014115384.tif 000004
【図３】
2014115384.tif 000005
【図４】
2014115384.tif 000006
【図５】
2014115384.tif 000007
【図６】
2014115384.tif 000008
【図７】
2014115384.tif 000009